(57)【特許請求の範囲】
【請求項１】
複数のデジタル放送を受信する可搬型のデジタル放送受信装置であって、
前記デジタル放送受信装置の存在する位置を随時検出する位置検出部と、
地図データを記憶する地図データ記憶部と、
前記位置検出部で随時検出される前記位置の推移及び前記地図データ記憶部に記憶されている地図データから前記デジタル放送受信装置の移動経路を認識する移動経路認識部と、
前記デジタル放送を放送する第１の放送局を識別する第１の識別情報を含む１つの現放送局情報と、前記第１の放送局の放送を受信した後に前記デジタル放送受信装置の移動に伴って次に受信可能となる前記デジタル放送を放送する第２の放送局を識別する第２の識別情報、前記第２の放送局が放送に使用する放送周波数情報、前記第２の放送局の位置情報、及び前記第２の放送局の放送を受信可能な領域を示す受信可能領域情報を含む１つ以上の連携放送局情報とを対応付けた放送局情報が予め１つ以上記憶されている放送局情報記憶部と、
前記第１の放送局によるデジタル放送を受信する受信部と、
前記第１の放送局によるデジタル放送が受信不可になったことを検出する受信不可検出部と、
前記受信部が前記第１の放送局によるデジタル放送を受信したら、受信した第１の放送局の第１の識別情報に基づいて、前記放送局情報記憶部に記憶された１つ以上の前記現放送局情報から、受信した第１の放送局の現放送局情報を特定し、
特定した現放送局情報に対応する連携放送局情報が１つの場合は、その連携放送局情報を選択し、
特定した現放送局情報に対応する連携放送局情報が複数の場合は、これら複数の連携放送局情報にそれぞれ含まれる前記第２の放送局の位置情報及び前記受信可能領域情報と、前記移動経路を示す情報とに基づいて、前記デジタル放送受信装置の移動経路上において最も近い位置に存在する第２の放送局の連携放送局情報を選択し、
その後、前記受信不可検出部が受信不可を検出したら、選択した前記連携放送局情報に含まれる前記放送周波数情報に基づいて、前記第２の放送局によるデジタル放送を受信するよう前記受信部を制御するとともに、この受信したデジタル放送を放送する第２の放送局を新たな第１の放送局とし、この第２の放送局の第２の識別情報を前記新たな第１の放送局の第１の識別情報とする制御部と、
を有することを特徴とするデジタル放送受信装置。
【請求項２】
デジタル放送を放送する複数のデジタル放送送信装置と、
前記複数のデジタル放送送信装置によるデジタル放送を受信する可搬型のデジタル放送
受信装置とを含むデジタル放送送受信システムであって、
前記複数のデジタル放送送信装置のうちの第１のデジタル放送送信装置は、
前記デジタル放送受信装置の移動に伴って次に受信可能となる前記デジタル放送を放送す
る第２のデジタル放送送信装置が放送に使用する放送周波数情報、前記第２のデジタル放
送送信装置の位置情報、及び前記第２のデジタル放送送信装置の放送を受信可能な領域を
示す受信可能領域情報を含む１つ以上の連携放送局情報をデジタル放送に含めて放送する
送信部を有し、
前記デジタル放送受信装置は、
前記デジタル放送受信装置の存在する位置を随時検出する位置検出部と、
地図データを記憶する地図データ記憶部と、
前記位置検出部で随時検出される前記位置の推移及び前記地図データ記憶部に記憶されている地図データから前記デジタル放送受信装置の移動経路を認識する移動経路認識部と、
前記第１のデジタル放送送信装置によるデジタル放送を受信する受信部と、
前記第１のデジタル放送送信装置によるデジタル放送が受信不可になったことを検出する受信不可検出部と、
前記受信部が前記第１のデジタル放送送信装置によるデジタル放送を受信したら、受信したデジタル放送に含まれる前記１つ以上の連携放送局情報を取得し、
取得した連携放送局情報が１つの場合は、その連携放送局情報を選択し、
取得した連携放送局情報が複数の場合は、これら複数の連携放送局情報にそれぞれ含まれる前記第２の放送送信装置の位置情報及び前記受信可能領域情報と、前記移動経路を示す情報とに基づいて、前記デジタル放送受信装置の移動経路上において最も近い位置に存在する第２の放送局の連携放送局情報を選択し、
その後、前記受信不可検出部が受信不可を検出したら、選択した前記連携放送局情報に含まれる前記放送周波数情報に基づいて、前記第２の放送局によるデジタル放送を受信するよう前記受信部を制御するとともに、この受信したデジタル放送を放送する第２の放送局を新たな第１の放送局とし、この第２の放送局の第２の識別情報を前記新たな第１の放送局の第１の識別情報とする制御部とを有する、
ことを特徴とするデジタル放送送受信システム。
【請求項３】
複数のデジタル放送を受信する可搬型のデジタル放送受信装置であって、
前記デジタル放送受信装置の存在位置を随時検出する位置検出部と、
地図データを記憶する地図データ記憶部と、
前記位置検出部で随時検出される前記存在位置の推移及び前記地図データ記憶部に記憶されている地図データから前記デジタル放送受信装置の移動経路を認識する移動経路認識部と、
前記第１のデジタル放送送信装置が、前記デジタル放送受信装置の移動に伴って次に受信可能となる前記デジタル放送を放送する第２のデジタル放送送信装置が放送に使用する放送周波数情報、前記第２のデジタル放送送信装置の位置情報、及び前記第２のデジタル放送送信装置の放送を受信可能な領域を示す受信可能領域情報を含む１つ以上の連携放送局情報を含めて放送するデジタル放送を受信する受信部と、
前記第１のデジタル放送送信装置によるデジタル放送が受信不可になったことを検出する受信不可検出部と、
前記受信部が前記第１のデジタル放送送信装置によるデジタル放送を受信したら、受信したデジタル放送に含まれる前記１つ以上の連携放送局情報を取得し、
取得した連携放送局情報が１つの場合は、その連携放送局情報を選択し、
取得した連携放送局情報が複数の場合は、これら複数の連携放送局情報にそれぞれ含まれる前記第２の放送送信装置の位置情報及び前記受信可能領域情報と、前記移動経路を示す情報とに基づいて、前記デジタル放送受信装置の移動経路上において最も近い位置に存在する第２の放送局の連携放送局情報を選択し、
その後、前記受信不可検出部が受信不可を検出したら、選択した前記連携放送局情報に含まれる前記放送周波数情報に基づいて、前記第２の放送局によるデジタル放送を受信するよう前記受信部を制御するとともに、この受信したデジタル放送を放送する第２の放送局を新たな第１の放送局とし、この第２の放送局の第２の識別情報を前記新たな第１の放送局の第１の識別情報とする制御部と、
を有することを特徴とするデジタル放送受信装置。
【請求項４】
複数のデジタル放送を受信する可搬型のデジタル放送受信装置に用いるデジタル放送受信方法であって、
前記デジタル放送受信装置の存在する位置を随時検出する位置検出ステップと、
前記位置検出ステップで随時検出される前記位置の推移及び前記デジタル放送受信装置に記憶されている地図データから前記デジタル放送受信装置の移動経路を認識する移動経路認識ステップと、
前記デジタル放送を放送する第１の放送局を識別する第１の識別情報を含む１つの現放送局情報と、前記第１の放送局の放送を受信した後に前記デジタル放送受信装置の移動に伴って次に受信可能となる前記デジタル放送を放送する第２の放送局を識別する第２の識別情報、前記第２の放送局が放送に使用する放送周波数情報、前記第２の放送局の位置情報、及び前記第２の放送局の放送を受信可能な領域を示す受信可能領域情報を含む１つ以上の連携放送局情報とを対応付けた放送局情報を予め１つ以上記憶する放送局情報記憶ステップと、
前記第１の放送局によるデジタル放送を受信する受信ステップと、
前記第１の放送局によるデジタル放送が受信不可になったことを検出する受信不可検出ステップと、
前記受信ステップが前記第１の放送局によるデジタル放送を受信したら、受信した第１の放送局の第１の識別情報に基づいて、前記放送局情報記憶部に記憶された１つ以上の前記現放送局情報から、受信した第１の放送局の現放送局情報を特定し、
特定した現放送局情報に対応する連携放送局情報が１つの場合は、その連携放送局情報を選択し、
特定した現放送局情報に対応する連携放送局情報が複数の場合は、これら複数の連携放送局情報にそれぞれ含まれる前記第２の放送局の位置情報及び前記受信可能領域情報と、前記移動経路を示す情報とに基づいて、前記デジタル放送受信装置の移動経路上において最も近い位置に存在する第２の放送局の連携放送局情報を選択し、
その後、前記受信不可検出部が受信不可を検出したら、選択した前記連携放送局情報に含まれる前記放送周波数情報に基づいて、前記第２の放送局によるデジタル放送を受信するよう前記受信ステップを制御するとともに、この受信したデジタル放送を放送する第２の放送局を新たな第１の放送局とし、この第２の放送局の第２の識別情報を前記新たな第１の放送局の第１の識別情報とする制御ステップと、
を含むことを特徴とするデジタル放送受信方法。
【請求項５】
デジタル放送を放送する複数のデジタル放送送信装置と、前記複数のデジタル放送送信装置によるデジタル放送を受信する可搬型のデジタル放送受信装置とを用いたデジタル放送送受信方法であって、
前記複数のデジタル放送送信装置のうちの第１のデジタル放送受信装置は、
前記デジタル放送受信装置の移動に伴って次に受信可能となる前記デジタル放送を放送する第２のデジタル放送送信装置が放送に使用する放送周波数情報、前記第２のデジタル放送送信装置の位置情報、及び前記第２のデジタル放送送信装置の放送を受信可能な領域を示す受信可能領域情報を含む１つ以上の連携放送局情報をデジタル放送に含めて放送する送信ステップを含み、
前記デジタル放送受信装置は、
前記デジタル放送受信装置の存在位置を随時検出する位置検出ステップと、
前記位置検出ステップで随時検出される前記存在位置の推移及び前記デジタル放送受信装置に記憶されている地図データから前記デジタル放送受信装置の移動経路を認識する移動経路認識ステップと、
前記第１のデジタル放送送信装置によるデジタル放送を受信する受信ステップと、
前記第１のデジタル放送送信装置によるデジタル放送が受信不可になったことを検出する受信不可検出ステップと、
前記受信ステップが前記第１のデジタル放送送信装置によるデジタル放送を受信したら、受信したデジタル放送に含まれる前記１つ以上の連携放送局情報を取得し、
取得した連携放送局情報が１つの場合は、その連携放送局情報を選択し、
取得した連携放送局情報が複数の場合は、これら複数の連携放送局情報にそれぞれ含まれる前記第２の放送送信装置の位置情報及び前記受信可能領域情報と、前記移動経路を示す情報とに基づいて、前記デジタル放送受信装置の移動経路上において最も近い位置に存在する第２の放送局の連携放送局情報を選択し、
その後、前記受信不可検出ステップが受信不可を検出したら、選択した前記連携放送局情報に含まれる前記放送周波数情報に基づいて、前記第２の放送局によるデジタル放送を受信するよう前記受信部を制御するとともに、この受信したデジタル放送を放送する第２の放送局を新たな第１の放送局とし、この第２の放送局の第２の識別情報を前記新たな第１の放送局の第１の識別情報とする制御ステップとを含む、
ことを特徴とするデジタル放送送受信方法。
【発明の詳細な説明】
【技術分野】
【０００１】
本発明は、デジタル放送の送信技術、受信技術に係るものであり、特にデジタル放送受信装置、デジタル放送送信装置、デジタル放送送受信システム、デジタル放送受信方法、及びデジタル放送送受信方法に関する。
【背景技術】
【０００２】
現在放送されている地上デジタル放送の放送対象エリアは、これまでの地上アナログ放送と同様に、都道府県域を主な区分単位とする比較的広いエリアである。
【０００３】
また、日本国内で運用されている地上デジタル放送では、通常の広帯域放送に加えて、ワンセグ放送と呼ばれる携帯受信端末向けを主目的とした狭帯域放送も放送されている。このワンセグ放送は、広帯域放送と同じ放送周波数で同時に放送される。そして、同じ放送周波数で同時に放送される広帯域放送とワンセグ放送とは、基本的に同じ内容のコンテンツを同時期に放送する、所謂サイマルキャスト放送で運用されている。
【０００４】
上記ワンセグ放送の放送エリアを極めて狭い範囲に限定し、かつ、サイマルキャスト放送ではなく、広帯域放送とは別のコンテンツの放送に用いるための実証試験が現在行なわれている。この、放送エリアを極めて狭い範囲に限定したワンセグ放送を、以下エリアワンセグ放送と呼ぶ。
【０００５】
このエリアワンセグ放送は、微弱電力あるいは小電力と呼ばれる極めて小さい送出電力で運用される放送である。微弱電力での放送は、その受信可能エリアは例えば半径３ｍ程度、小電力での放送は、その受信可能エリアは例えば半径１００ｍ程度である。従って、エリアワンセグ放送は、例えば、店舗周辺、あるいはイベント会場周辺というように受信可能エリア（放送対象エリア）を限定することができる。このように、エリアワンセグ放送は、あえて受信可能エリアを限定することで、その受信可能エリアにおける限定的な情報を、動画、音声あるいはデータ放送等のコンテンツによって、その受信可能エリア内にいるユーザーのみに的確に提供できるという利点がある。限定的な情報とは、例えば、その店舗で売っている商品の情報やイベント会場のイベントや出演者に関する情報である。
【０００６】
エリアワンセグ放送に関する従来技術としては、例えば特許文献１がある。
【先行技術文献】
【特許文献】
【０００７】
【特許文献１】特開２０１０−０８１１３３号公報
【発明の概要】
【発明が解決しようとする課題】
【０００８】
しかしながら、ユーザーが走行中の車両などに備えられたデジタル放送受信装置（以下単に受信装置と呼ぶことがある）によって、エリアワンセグ放送を移動しながら受信する場合、従来技術においては以下のような課題があった。
【０００９】
すなわち、エリアワンセグ放送の受信可能エリアは、上記の通り、ごく狭いエリアである。従って、ユーザーが移動しながらエリアワンセグ放送を視聴する場合、１つのエリアワンセグ放送を視聴できるのは、移動中の車両（受信装置）が、その１つのワンセグ放送の受信可能エリア内に留まる期間のみとなる。
【００１０】
例えば、受信可能エリアが半径１００ｍのエリアワンセグ放送を、時速４０ｋｍ／ｈで移動中に視聴する場合を考えると、その視聴可能時間は、最長でも、受信可能エリアの直径に相当する２００ｍを移動する期間である１８秒程度となる。
【００１１】
上記状況において、ユーザーが移動しながら複数のエリアワンセグ放送を順次視聴する場合を考える。
【００１２】
この場合、ユーザーが現在視聴中のエリアワンセグ放送の受信可能エリア外に移動して、次の新たなエリアワンセグ放送を視聴するには、ユーザーはその新たなエリアワンセグ放送が放送されているチャンネル（周波数）への再選局が必要となる。
【００１３】
しかしながら、従来の受信装置では、新たなエリアワンセグ放送のチャンネルをユーザーに提示する手段を持たないため、ユーザーは試行錯誤的にチャンネルを設定するか、或いはチャンネルサーチによって受信可能なチャンネルを探さなければならならなかった。しかし、エリアワンセグ放送を視聴できる時間は上述したように短期間であるため、このような操作をしている間に、受信可能であったはずの新たなエリアワンセグ放放送の受信可能エリア外に出てしまうという場合もありえた。
【００１４】
本発明は、上記のような課題を解決するためになされたものであり、その目的は、移動しながら複数のエリアワンセグ放送を順次受信する場合に、ユーザーに選局操作を行なわせることなく、自動で順次選局受信することが可能なデジタル放送受信装置、デジタル放送送信装置、デジタル放送送受信システム、デジタル放送受信方法、及びデジタル放送送受信方法を提供することにある。
【課題を解決するための手段】
【００１５】
上記課題を解決するために本発明は、下記の装置、システム、及び方法を提供するものである。
（１）複数のデジタル放送を受信する可搬型のデジタル放送受信装置であって、
前記デジタル放送受信装置の存在する位置を随時検出する位置検出部と、
地図データを記憶する地図データ記憶部と、
前記位置検出部で随時検出される前記位置の推移及び前記地図データ記憶部に記憶されている地図データから前記デジタル放送受信装置の移動経路を認識する移動経路認識部と、
前記デジタル放送を放送する第１の放送局を識別する第１の識別情報を含む１つの現放送局情報と、前記第１の放送局の放送を受信した後に前記デジタル放送受信装置の移動に伴って次に受信可能となる前記デジタル放送を放送する第２の放送局を識別する第２の識別情報、前記第２の放送局が放送に使用する放送周波数情報、前記第２の放送局の位置情報、及び前記第２の放送局の放送を受信可能な領域を示す受信可能領域情報を含む１つ以上の連携放送局情報とを対応付けた放送局情報が予め１つ以上記憶されている放送局情報記憶部と、
前記第１の放送局によるデジタル放送を受信する受信部と、
前記第１の放送局によるデジタル放送が受信不可になったことを検出する受信不可検出部と、
前記受信部が前記第１の放送局によるデジタル放送を受信したら、受信した第１の放送局の第１の識別情報に基づいて、前記放送局情報記憶部に記憶された１つ以上の前記現放送局情報から、受信した第１の放送局の現放送局情報を特定し、
特定した現放送局情報に対応する連携放送局情報が１つの場合は、その連携放送局情報を選択し、
特定した現放送局情報に対応する連携放送局情報が複数の場合は、これら複数の連携放送局情報にそれぞれ含まれる前記第２の放送局の位置情報及び前記受信可能領域情報と、前記移動経路を示す情報とに基づいて、前記デジタル放送受信装置の移動経路上において最も近い位置に存在する第２の放送局の連携放送局情報を選択し、
その後、前記受信不可検出部が受信不可を検出したら、選択した前記連携放送局情報に含まれる前記放送周波数情報に基づいて、前記第２の放送局によるデジタル放送を受信するよう前記受信部を制御するとともに、この受信したデジタル放送を放送する第２の放送局を新たな第１の放送局とし、この第２の放送局の第２の識別情報を前記新たな第１の放送局の第１の識別情報とする制御部と、
を有することを特徴とするデジタル放送受信装置。
（２）デジタル放送を放送する複数のデジタル放送送信装置と、
前記複数のデジタル放送送信装置によるデジタル放送を受信する可搬型のデジタル放送
受信装置とを含むデジタル放送送受信システムであって、
前記複数のデジタル放送送信装置のうちの第１のデジタル放送送信装置は、
前記デジタル放送受信装置の移動に伴って次に受信可能となる前記デジタル放送を放送す
る第２のデジタル放送送信装置が放送に使用する放送周波数情報、前記第２のデジタル放
送送信装置の位置情報、及び前記第２のデジタル放送送信装置の放送を受信可能な領域を
示す受信可能領域情報を含む１つ以上の連携放送局情報をデジタル放送に含めて放送する
送信部を有し、
前記デジタル放送受信装置は、
前記デジタル放送受信装置の存在する位置を随時検出する位置検出部と、
地図データを記憶する地図データ記憶部と、
前記位置検出部で随時検出される前記位置の推移及び前記地図データ記憶部に記憶されている地図データから前記デジタル放送受信装置の移動経路を認識する移動経路認識部と、
前記第１のデジタル放送送信装置によるデジタル放送を受信する受信部と、
前記第１のデジタル放送送信装置によるデジタル放送が受信不可になったことを検出する受信不可検出部と、
前記受信部が前記第１のデジタル放送送信装置によるデジタル放送を受信したら、受信したデジタル放送に含まれる前記１つ以上の連携放送局情報を取得し、
取得した連携放送局情報が１つの場合は、その連携放送局情報を選択し、
取得した連携放送局情報が複数の場合は、これら複数の連携放送局情報にそれぞれ含まれる前記第２の放送送信装置の位置情報及び前記受信可能領域情報と、前記移動経路を示す情報とに基づいて、前記デジタル放送受信装置の移動経路上において最も近い位置に存在する第２の放送局の連携放送局情報を選択し、
その後、前記受信不可検出部が受信不可を検出したら、選択した前記連携放送局情報に含まれる前記放送周波数情報に基づいて、前記第２の放送局によるデジタル放送を受信するよう前記受信部を制御するとともに、この受信したデジタル放送を放送する第２の放送局を新たな第１の放送局とし、この第２の放送局の第２の識別情報を前記新たな第１の放送局の第１の識別情報とする制御部とを有する、
ことを特徴とするデジタル放送送受信システム。
（３）複数のデジタル放送を受信する可搬型のデジタル放送受信装置であって、
前記デジタル放送受信装置の存在位置を随時検出する位置検出部と、
地図データを記憶する地図データ記憶部と、
前記位置検出部で随時検出される前記存在位置の推移及び前記地図データ記憶部に記憶されている地図データから前記デジタル放送受信装置の移動経路を認識する移動経路認識部と、
前記第１のデジタル放送送信装置が、前記デジタル放送受信装置の移動に伴って次に受信可能となる前記デジタル放送を放送する第２のデジタル放送送信装置が放送に使用する放送周波数情報、前記第２のデジタル放送送信装置の位置情報、及び前記第２のデジタル放送送信装置の放送を受信可能な領域を示す受信可能領域情報を含む１つ以上の連携放送局情報を含めて放送するデジタル放送を受信する受信部と、
前記第１のデジタル放送送信装置によるデジタル放送が受信不可になったことを検出する受信不可検出部と、
前記受信部が前記第１のデジタル放送送信装置によるデジタル放送を受信したら、受信したデジタル放送に含まれる前記１つ以上の連携放送局情報を取得し、
取得した連携放送局情報が１つの場合は、その連携放送局情報を選択し、
取得した連携放送局情報が複数の場合は、これら複数の連携放送局情報にそれぞれ含まれる前記第２の放送送信装置の位置情報及び前記受信可能領域情報と、前記移動経路を示す情報とに基づいて、前記デジタル放送受信装置の移動経路上において最も近い位置に存在する第２の放送局の連携放送局情報を選択し、
その後、前記受信不可検出部が受信不可を検出したら、選択した前記連携放送局情報に含まれる前記放送周波数情報に基づいて、前記第２の放送局によるデジタル放送を受信するよう前記受信部を制御するとともに、この受信したデジタル放送を放送する第２の放送局を新たな第１の放送局とし、この第２の放送局の第２の識別情報を前記新たな第１の放送局の第１の識別情報とする制御部と、
を有することを特徴とするデジタル放送受信装置。
（４）複数のデジタル放送を受信する可搬型のデジタル放送受信装置に用いるデジタル放送受信方法であって、
前記デジタル放送受信装置の存在する位置を随時検出する位置検出ステップと、
前記位置検出ステップで随時検出される前記位置の推移及び前記デジタル放送受信装置に記憶されている地図データから前記デジタル放送受信装置の移動経路を認識する移動経路認識ステップと、
前記デジタル放送を放送する第１の放送局を識別する第１の識別情報を含む１つの現放送局情報と、前記第１の放送局の放送を受信した後に前記デジタル放送受信装置の移動に伴って次に受信可能となる前記デジタル放送を放送する第２の放送局を識別する第２の識別情報、前記第２の放送局が放送に使用する放送周波数情報、前記第２の放送局の位置情報、及び前記第２の放送局の放送を受信可能な領域を示す受信可能領域情報を含む１つ以上の連携放送局情報とを対応付けた放送局情報を予め１つ以上記憶する放送局情報記憶ステップと、
前記第１の放送局によるデジタル放送を受信する受信ステップと、
前記第１の放送局によるデジタル放送が受信不可になったことを検出する受信不可検出ステップと、
前記受信ステップが前記第１の放送局によるデジタル放送を受信したら、受信した第１の放送局の第１の識別情報に基づいて、前記放送局情報記憶部に記憶された１つ以上の前記現放送局情報から、受信した第１の放送局の現放送局情報を特定し、
特定した現放送局情報に対応する連携放送局情報が１つの場合は、その連携放送局情報を選択し、
特定した現放送局情報に対応する連携放送局情報が複数の場合は、これら複数の連携放送局情報にそれぞれ含まれる前記第２の放送局の位置情報及び前記受信可能領域情報と、前記移動経路を示す情報とに基づいて、前記デジタル放送受信装置の移動経路上において最も近い位置に存在する第２の放送局の連携放送局情報を選択し、
その後、前記受信不可検出部が受信不可を検出したら、選択した前記連携放送局情報に含まれる前記放送周波数情報に基づいて、前記第２の放送局によるデジタル放送を受信するよう前記受信ステップを制御するとともに、この受信したデジタル放送を放送する第２の放送局を新たな第１の放送局とし、この第２の放送局の第２の識別情報を前記新たな第１の放送局の第１の識別情報とする制御ステップと、
を含むことを特徴とするデジタル放送受信方法。
（５）デジタル放送を放送する複数のデジタル放送送信装置と、前記複数のデジタル放送送信装置によるデジタル放送を受信する可搬型のデジタル放送受信装置とを用いたデジタル放送送受信方法であって、
前記複数のデジタル放送送信装置のうちの第１のデジタル放送受信装置は、
前記デジタル放送受信装置の移動に伴って次に受信可能となる前記デジタル放送を放送する第２のデジタル放送送信装置が放送に使用する放送周波数情報、前記第２のデジタル放送送信装置の位置情報、及び前記第２のデジタル放送送信装置の放送を受信可能な領域を示す受信可能領域情報を含む１つ以上の連携放送局情報をデジタル放送に含めて放送する送信ステップを含み、
前記デジタル放送受信装置は、
前記デジタル放送受信装置の存在位置を随時検出する位置検出ステップと、
前記位置検出ステップで随時検出される前記存在位置の推移及び前記デジタル放送受信装置に記憶されている地図データから前記デジタル放送受信装置の移動経路を認識する移動経路認識ステップと、
前記第１のデジタル放送送信装置によるデジタル放送を受信する受信ステップと、
前記第１のデジタル放送送信装置によるデジタル放送が受信不可になったことを検出する受信不可検出ステップと、
前記受信ステップが前記第１のデジタル放送送信装置によるデジタル放送を受信したら、受信したデジタル放送に含まれる前記１つ以上の連携放送局情報を取得し、
取得した連携放送局情報が１つの場合は、その連携放送局情報を選択し、
取得した連携放送局情報が複数の場合は、これら複数の連携放送局情報にそれぞれ含まれる前記第２の放送送信装置の位置情報及び前記受信可能領域情報と、前記移動経路を示す情報とに基づいて、前記デジタル放送受信装置の移動経路上において最も近い位置に存在する第２の放送局の連携放送局情報を選択し、
その後、前記受信不可検出ステップが受信不可を検出したら、選択した前記連携放送局情報に含まれる前記放送周波数情報に基づいて、前記第２の放送局によるデジタル放送を受信するよう前記受信部を制御するとともに、この受信したデジタル放送を放送する第２の放送局を新たな第１の放送局とし、この第２の放送局の第２の識別情報を前記新たな第１の放送局の第１の識別情報とする制御ステップとを含む、
ことを特徴とするデジタル放送送受信方法。
【発明の効果】
【００１６】
本発明によれば、移動しながら複数のエリアワンセグ放送を順次受信する場合に、ユーザーに選局操作を行なわせることなく、自動で順次選局受信することが可能となる。
【図面の簡単な説明】
【００１７】
【図１】本発明の実施例に係るデジタル放送受信装置の構成を説明する図である。
【図２】エリアワンセグ放送の実施形態を示す図である。
【図３】エリアワンセグ放送の実施形態を示す図である。
【図４】放送局情報の構成を説明する図である。
【図５】ＴＭＣＣを説明する図である。
【図６】第１実施例の動作の流れを説明するフローチャートである。
【図７】エリアワンセグ放送の実施形態を示す図である。
【図８】放送局情報の構成を説明する図である。
【図９】第２実施例の動作の流れを説明するフローチャートである。
【図１０】本発明の実施例に係るデジタル放送送信装置の構成を説明する図である。
【図１１】ＮＩＴの構造を示した図である。
【図１２】システム管理記述子を説明する図である。
【図１３】付加識別子情報フィールドに記述する具体例を説明する図である。
【図１４】複雑な受信可能エリアを表現する例である。
【発明を実施するための形態】
【００１８】
［デジタル放送受信装置の内部構成］
図１は、本発明の実施例に係るデジタル放送受信装置１００の構成を説明するためのブロック図である。
【００１９】
チューナ（受信部）２０１は、アンテナ２００から供給されるデジタル放送波のうち、後述するＣＰＵ２０８によって設定される所定周波数の放送波を選局して受信し、この受信した放送波を復調してデジタルストリームデータを生成する。
【００２０】
また、チューナ２０１は、設定される所定周波数の放送波の電波強度やＣ／Ｎ比を測定し受信可能か否かを検出する機能や、受信した放送波のセグメント構成やセグメント毎の変調方式や符号化率などの伝送パラメータを示すＴＭＣＣ（Transmission and Multiplexing Configuration Control）情報を読み出す機能を備えている。
【００２１】
なお、チューナ２０１はデジタル放送波のうちワンセグ放送の放送波のみ受信できるものであっても良いし、広帯域放送（フルセグ放送または１２セグ放送とも呼ぶ）とワンセグ放送の両方の放送波を受信可能なものであっても良い。
【００２２】
デスクランブラ２０２は、チューナ２０１から供給されるデジタルストリームにスクランブルが施されている場合、このスクランブルを解除する。スクランブルは主にフルセグ放送における有料放送等で運用されている。ワンセグ放送の場合は、現在のところスクランブルの運用はなされていないので、ワンセグ放送のデジタルストリームは、デスクランブラ２０２ではなにも処理されずそのままの状態で通過する。従って、ワンセグ放送専用の受信機の場合は、このデスクランブラ２０２は現在のところ必要ない。
【００２３】
デマルチプレックサ２０３は、デスクランブラ２０２から供給されるデジタルストリームから、圧縮されたビデオデータとオーディオデータとを分離し、一時的にデマルチプレックサ用ＲＡＭ２０７に記憶する。
【００２４】
ビデオデコーダ２０４、オーディオデコーダ２０５は、デマルチプレックス用ＲＡＭ２０６に記憶された圧縮されたビデオデータ、オーディオデータをそれぞれ読み出してデコード（伸張）し、ビデオデータはグラフィクス２０６へ出力し、オーディオデータはそのまま音声信号として外部へ出力する。
【００２５】
グラフィクス２０６は、ＧＵＩ(Graphics User Interface)等に用いるためのグラフィクスデータを状況に応じて生成する。
【００２６】
また、グラフィクス２０６は、供給されるビデオデータ、またはこのビデオデータとグラフィクスデータとを重畳した合成ビデオデータを映像信号として外部へ出力する。
【００２７】
ＣＰＵ２１０は、上述したチューナ２０１からグラフィクス２０６までの各ブロックとバス２１７によって接続されており、このバス２１７を介してそれぞれのブロックを制御する。
【００２８】
また、バス２１７には更に、ＣＰＵに種々の機能を実行させるためのプログラムデータ等を記憶するＲＯＭ２１１や、ＣＰＵが使用する各種変数を一時記憶するＲＡＭ２１２や、電源ＯＦＦされる直前の装置の状態を示す情報などを記憶するためのフラッシュメモリ２１３や、内蔵時計であるＲＴＣ２１４やユーザインターフェース２１６等も接続されている。
【００２９】
なお、デマルチプレクサ２０３は、供給されるデータストリームからビデオデータとオーディオデータとを分離するのに加えて、選局処理やＥＰＧ（Electronic Program Guide：電子番組表）の表示などに用いる情報であるＳＩ(Service Information)／ＰＳＩ（Program Specific Information）や、データ放送コンテンツの表示に用いるデータカルーセルなどの付加データも分離し、デマルチプレックス用ＲＡＭ２０７に一時記憶する。
【００３０】
ＣＰＵ２１０は、この一時記憶された付加データを読み出して種々の機能を実現する。たとえば、読み出した付加データがデータカルーセルの場合は、このデータカルーセルからＢＭＬ文書を抽出して、このＢＭＬ文書に記載された内容に応じて、グラフィクス２０６を用いてＧＵＩ等を含むデータ放送コンテンツを映像信号として外部へ出力する。また、読み出した付加データがＳＩの場合は、このＳＩに含まれる番組情報を抽出して、この番組情報に応じてグラフィクス２０６を用いてＥＰＧを生成し、このＥＰＧを映像信号として外部へ出力する。
【００３１】
また、ＣＰＵ２１０は、本発明の要部である、受信不可検出部２１０１、受信制御部２１０２、移動経路認識部２１０３としての機能も備える。なお、移動経路認識部２１０３は、後述する第２実施例にて用い、第１実施例では用いないブロックである。
【００３２】
フラッシュメモリ２１１は、不揮発性のメモリであり、電源供給が無くても記憶された情報を保持することが可能なメモリである。なお、このフラッシュメモリ２１１には、本発明に係る各実施例で用いる放送局情報を記憶するための領域である放送局情報記憶部２１３１が設けられている。放送局情報に関する詳細説明は後述する。なお、この放送局情報記憶部２１３１は、後述する第１、第２実施例にて用い、第３実施例では用いないブロックである。
【００３３】
ＲＴＣ２１４は、水晶発振器によって自走で時刻を計時しても良いし、デジタル放送から得られるＳＩに含まれるＴＯＴ（Time Offset Table）を元に時刻を計時しても良い。後者の場合、ＴＯＴは、ＣＰＵ２１０によってＳＩから抽出し、ＲＴＣ２１４にセットされる。いずれの場合でも、ＣＰＵ２１０は、必要に応じて適宜ＲＴＣ２１４から現在時刻の情報を取得することが可能である。
【００３４】
ユーザインターフェース２１６は、リモコン（図示せず）や、本体に装着されたボタン（図示せず）等によってなされるユーザー操作を検出する。
【００３５】
ＧＰＳ（Global Positioning System：位置検出部）２１５は、デジタル放送受信装置１００の現在位置を検出する。なお、本説明では現在位置の検出にＧＰＳを用いる例を示すが、ＧＰＳではなく車速パルスやジャイロなど他のデバイスを組み合わせて現在位置を検出しても良い。
【００３６】
なお、フラッシュメモリ２１３には地図データ記憶部２１３２も設けられており、この地図データ記憶部２１３２に地図データを記憶する。そして、ＣＰＵ２１０は、ＧＰＳ２１５で検出された現在位置のデータに基づいて、その現在位置の周辺エリアの地図データを地図データ記憶部２１３２から読み出す。次に、ＣＰＵ２１０は、グラフィックス２０７を用いて、現在位置がスポット的に示された現在位置の周辺エリアの地図を生成し、装置内部または外部に接続された表示部に表示する。すなわちこれは、カーナビにおける現在位置表示の機能に相当する。
【００３７】
なお、上述した放送局情報や地図データは、フラッシュメモリ２１３に限らず、ハードディスク等の不揮発性メモリであればどのようなメモリに記憶しても良い。
【００３８】
また、放送局情報と地図データとを別々の不揮発性メモリに記憶しても良い。
【００３９】
上記ＧＰＳ２１５と地図データ記憶部２１３２は、後述する第２実施例で用い、第１実施例では用いないブロックである。
［エリアワンセグ放送］
図２は、エリアワンセグ放送の実施形態を示す図である。同図においては、エリアワンセグ放送局ＡＯＢ１が道路に面している。このエリアワンセグ放送局ＡＯＢ１が放送するエリアワンセグ放送の受信可能エリアは半径１００ｍのエリアである。
【００４０】
このとき、道路の左側から右側に向かって時速４０ｋｍ／ｈで走行する車両に備えられたデジタル放送受信装置１００が、このエリアワンセグ放送局ＡＯＢ１を受信する場合を考える。この場合、デジタル放送受信装置が、エリアワンセグ放送局ＡＯＢ１の放送を受信してユーザーに視聴させることのできる時間は、最長でも受信可能エリアの直径に相当する２００ｍを移動する期間である１８秒程度である。
【００４１】
図３は、本発明の第１実施例の動作を説明するためのエリアワンセグ放送の第１の実施形態を示す図である。
【００４２】
同図は、図２に示したエリアワンセグ放送局ＡＯＢ１に加えて、このエリアワンセグ放送局ＡＯＢ１と同様の受信可能エリアを持つエリアワンセグ放送局ＡＯＢ２，３があり、これらエリアワンセグ放送局ＡＯＢ１，２，３が道路沿いに２００ｍ程度の間隔で並んで存在している例である。
【００４３】
本発明は、このように複数のエリアワンセグ放送局が道路沿いに並んでいる状況において、デジタル放送受信装置１００を備えた車両が、例えば、図２と同様に、道路の左側から右側に向かって走行する場合に、エリアワンセグ放送局ＡＯＢ３、２、１でそれぞれ放送される各放送を、ユーザーに選局操作を行なわせることなく自動で順次選局受信することを可能とすることを特徴とするものである。
［放送局情報］
図４は、本発明の第１実施例で用いる、上述した自動選局受信動作を実現するための第１の放送局情報の構成を説明する図である。
【００４４】
図４の太線で囲まれた１つの領域内の各情報によって、１つのエリアワンセグ放送局の為の放送局情報が構成される。図４には、エリアワンセグ放送局ＡＯＢ１，２，３に対応した３つの放送局情報のリスト（以下放送局情報リストと呼ぶ）が記載されている。なお、放送局情報リストへの記載順は、上から下へエリアワンセグ放送局ＡＯＢ３，２，１となっている。
【００４５】
各放送局情報は、現放送局情報と連携放送局情報とに区別される。現放送局情報とは、デジタル放送受信装置１００が選局するために用いられる、その選局の対象となる放送局に関する情報である。また連携放送局情報とは、現放送局情報が示す放送局の放送を受信中に、デジタル放送受信装置１００の移動に伴って次に受信可能となるエリアワンセグ放送を放送する放送局に関する情報である。
【００４６】
そして、現放送局情報と連携放送局情報とはともに、その放送局の存在する位置を示す情報（位置情報）と、その放送局が放送に使用する物理チャンネルを示す情報（周波数情報）と、放送局の名称を示す情報（名称情報）と、その放送局が放送する放送の受信可能エリアを示す情報（範囲情報）とを含んで構成される。
【００４７】
以下、放送局情報をより具体的に説明する。
【００４８】
たとえば最上段の太線内の放送局情報は、東経ａａａ北緯ｂｂｂの位置において周波数３０ｃｈでエリアワンセグ放送を放送する名称ＡＯＢ３というエリアワンセグ放送局が存在し、この放送局の放送を受信後、次に受信可能なエリアワンセグ放送を放送するエリアワンセグ放送局は、東経ｃｃｃ北緯ｄｄｄの位置において周波数３１ｃｈでエリアワンセグ放送を放送する名称ＡＯＢ２という名称の放送局であることを示す。
【００４９】
なお、説明を簡単にするために、放送波を示す情報としては周波数情報のみを記述する例を挙げた。しかし、実際には、図５に示すＴＭＣＣ情報に記載されている各種情報が放送波を示す情報として記述される。また、選局のためにチューナ２０１に設定する情報も、チャンネル（周波数）情報のみを設定する説明にしているが、実際には、ＴＭＣＣ情報に記載されている各種情報を設定することになる。
【００５０】
また、同様に、受信可能エリアを示す情報として半径を記述する例を挙げた。しかし、受信可能エリアは、周囲の地形や建物が影響して真円にならない場合がある。従って、実際には、より複雑な受信可能エリアを数値で示すことが必要になる。
【００５１】
また、図４の実施形態では、全て半径１００ｍを受信可能エリアとする放送局が並ぶ例を示したが、受信可能エリアが異なる（すなわち送出電力が異なる）放送局が並んでいてももちろん良い。
【００５２】
また、名称情報は、放送局名ではなく、その放送局を一意に識別できる情報であればどのような情報でも良い。
【００５３】
放送局情報は、例えば、図示していない通信回線、カードメモリ、光ディスクなどからデータを入力する外部データ入力部から取得され放送局情報記憶部２１３１に予め記憶される形態や、デジタル放送受信装置１００の製造時に放送局情報記憶部２１３１に予め記憶される形態が考えられる。この形態については実施例１、２として後述する。
【００５４】
また、エリアワンセグ放送局が、放送局情報を放送波に含ませて送信し、デジタル放送受信装置がその放送波を受信して、放送局情報を取得する形態としても良い。この形態については実施例３として後述する。
［第１実施例］
以下、本発明の第１実施例を説明する。
【００５５】
第１実施例は、放送局情報リストが予め放送局情報記憶部２１３１に記憶されている場合の例である。
【００５６】
この第１実施例では、放送局情報における現放送局情報に対応する連携放送局情報は１つのみ記載されることとする。そして、放送局情報の名称情報と周波数情報とのみを用いて動作を実現する点に特徴がある。
【００５７】
以下、図３を用いて詳細に説明する。
【００５８】
図３において、道路の左側から右側に向かって走行する車両に備えられたデジタル放送受信装置１００が、各エリアワンセグ放送局ＡＯＢ１，２，３の放送を順次受信する場合を考える。
【００５９】
まず、デジタル放送受信装置１００がＴ２３の地点を通過した後、ユーザーによる手動選局、またはデジタル放送受信装置１００の自動選局等によって、エリアワンセグ放送局ＡＯＢ３の放送を選局、受信した状況から説明する。
【００６０】
このとき、ＣＰＵ２１０の受信制御部２１０２は、受信したエリアワンセグ放送局ＡＯＢ３の放送に含まれる付加情報である例えばＮＩＴ（Network Information Table）等からその放送を放送している放送局の名称（識別情報）である「ＡＯＢ３」を取得する。
【００６１】
なお、ＣＰＵ２１０は、放送を受信すると、デジタル放送受信装置１００の各機能ブロックを制御して、エリアワンセグ放送局ＡＯＢ３の放送をデコードしてコンテンツを生成し、この生成したコンテンツをユーザーに提示する処理ももちろん行なっている、しかし、これらの処理に関しては本発明とは関連が低いので以降の説明では、コンテンツの生成に関する処理の説明は省略する。
【００６２】
デジタル放送受信装置１００が移動して、Ｔ２２の位置を通過すると、エリアワンセグ放送局ＡＯＢ３の放送の受信可能エリア外になる。従って、ＣＰＵ２１０の受信不可検出部２１０１は、エリアワンセグ放送局ＡＯＢ３の放送が受信不可となったことを検出する。
【００６３】
受信不可となったことは、チューナ２０１から得られる電界強度やＣ／Ｎ比が低下したことを示す情報や、デマルチプレックス２０３から得られるＰＭＴ(Program Map Table)が取得できなくなったことを示す情報や、ビデオデコーダ２０４やオーディオデコーダ２０５から得られるデコードエラーが発生したことを示す情報等によって検出する。
【００６４】
エリアワンセグ放送局ＡＯＢ３の放送が受信不可となったことを検出すると、ＣＰＵ２１０の受信制御部２１０２は、事前に取得していた名称情報「ＡＯＢ３」により、放送局情報記憶部２１３１に記憶されている放送局情報リストのうちのエリアワンセグ放送局ＡＯＢ３の現放送局情報を参照し、この現放送局情報に対応付けられた連携放送局情報を取得する。この連携放送局情報には、次に受信可能なエリアワンセグ放送局ＡＯＢ２の周波数情報として３１ｃｈが記載されている。従って、ＣＰＵ２１０の受信制御部２１０２は、この３１ｃｈをチューナ２０１に設定してエリアワンセグ放送局ＡＯＢ２の放送を受信する。
【００６５】
なお、地点Ｔ２２を通過した時点において、エリアワンセグ放送局ＡＯＢ２の放送ではない他のエリアワンセグ放送が受信できる可能性もあるが、放送局情報の連携放送局情報が得られている場合は、この情報に記載されているエリアワンセグ放送局の放送を優先して受信する。
【００６６】
更にデジタル放送受信装置１００が移動して、Ｔ２１の位置を通過すると、エリアワンセグ放送局ＡＯＢ２の放送の受信可能エリア外になる。従って、ＣＰＵ２１０の受信不可検出部２１０１は、エリアワンセグ放送局ＡＯＢ２の放送が受信不可となったことを検出する。
【００６７】
エリアワンセグ放送局ＡＯＢ２の放送が受信不可となったことを検出すると、ＣＰＵ２１０の受信制御部２１０２は、放送局情報記憶部２１３１に記憶されている放送局情報リストのうちのエリアワンセグ放送局ＡＯＢ２の現放送局情報を参照し、この現放送局情報に対応付けられた連携放送局情報を取得する。この連携放送局情報には、次に受信可能なエリアワンセグ放送局ＡＯＢ１の周波数情報として３２ｃｈが記載されている、従って、ＣＰＵ２１０の受信制御部２１０２は、この３２ｃｈをチューナ２０１に設定してエリアワンセグ放送局ＡＯＢ１の放送を受信する。この場合は、既に連携放送局情報によって、受信している放送がエリアワンセグ放送局ＡＯＢ２の放送であることがわかっているので、Ｔ２３を通過したときのようにＮＩＴから名称情報を取得する必要はない。
【００６８】
更にデジタル放送受信装置１００が移動して、Ｔ２０の位置を通過すると、エリアワンセグ放送局ＡＯＢ１の放送の受信可能エリア外となる。従って、ＣＰＵ２１０の受信不可検出部２１０１は、エリアワンセグ放送局ＡＯＢ１の放送が受信不可となったことを検出する。
【００６９】
エリアワンセグ放送局ＡＯＢ１の放送が受信不可となったことを検出すると、ＣＰＵ２１０の受信制御部２１０２は、放送局情報記憶部２１３１に記憶されている放送局情報リストのうちのエリアワンセグ放送局ＡＯＢ１の現放送局情報を参照するが、この現放送局情報には連携放送局情報が無い。従って、ＣＰＵ２１０の受信制御部２１０２は、自動選局情報を中止して、ユーザーによる新たな手動選局を待つ。または、チャンネルサーチやランダム選局などによって新たなエリアワンセグ放送を探して自動選局を試みても良い。チャンネルサーチとは、所定範囲内の物理チャンネル（周波数）を順次選局していき受信可能な放送（放送局）を探す処理である。
＜動作の流れ＞
上記第１実施例における要部の動作の流れを図３及び図６を用いて説明する。
【００７０】
図６は、第１実施例の動作の流れを説明するフローチャートである。
【００７１】
同図のフローチャートは、最初のエリアワンセグ放送局の放送を受信した時点をスタートとする。
【００７２】
これは、図３においては、デジタル放送受信装置１００が、Ｔ２３を通過した後、ユーザーの選局操作などによってエリアワンセグ放送局ＡＯＢ３を受信した状態に相当する。
【００７３】
そして、まず、ステップＳ１００１では、ＣＰＵ２１０の受信不可検出部２１０１は、放送の受信が正常か否かを判断する。正常の場合（Ｓ１００１：Ｙｅｓ）は、ステップＳ１００２へ処理を移行する。
【００７４】
一方、受信状態が悪く選局に失敗する等した場合（Ｓ１００１：Ｎｏ）は、ＣＰＵ２１０は、ステップＳ１００５へ処理を移行する。
【００７５】
ステップＳ１００２では、ＣＰＵ２１０の受信不可検出部２１０１は、現在受信中のエリアワンセグ放送が継続受信できているか否かを判断する。ＣＰＵ２１０の受信不可検出部２１０１が継続受信できていると判断した場合（Ｓ１００２：Ｙｅｓ）は、ＣＰＵ２１０の受信制御部２１０２は、受信不可検出部２１０１が継続受信できなくなったと判断するまでこのステップＳ１００２を繰り返し実行する。
【００７６】
ＣＰＵ２１０の受信不可検出部２１０１が継続受信できなくなったと判断した場合（Ｓ１００２：Ｎｏ）は、ＣＰＹ２１０の受信制御部２１０２は、ステップＳ１００３へ処理を移行する。
【００７７】
これは、図３においては、デジタル放送受信装置１００がＴ２２、Ｔ２１、Ｔ２０を通過した後、エリアワンセグ放送局ＡＯＢ３，２，１の放送をそれぞれ受信できなくなった状態に相当する。
【００７８】
ステップＳ１００３では、ＣＰＵ２１０の受信制御部２１０２は、今まで受信していたエリアワンセグ放送局に対応した連携放送局情報が有るか否かを判断する。
【００７９】
ＣＰＵ２１０の受信制御部２１０２が連携放送局情報有と判断した場合（Ｓ１００３：Ｙｅｓ）、ステップＳ１００４へ処理を移行する。
【００８０】
これは、図３においては、デジタル放送受信装置１００が、Ｔ２２、Ｔ２１を通過した後、エリアワンセグ放送局ＡＯＢ３，２の現放送局情報にそれぞれ対応する連携放送局情報がある状態に相当する。
【００８１】
一方、ステップＳ１００３で、ＣＰＵ２１０の受信制御部２１０２が、連携放送局情報無と判断した場合（Ｓ１００３：Ｎｏ）、ステップＳ１００５へ処理を移行する。
【００８２】
これは、図３においては、デジタル放送受信装置１００が、Ｔ２０を通過した後、エリアワンセグ放送局ＡＯＢ１の現放送局情報に対応する連携放送局がない状態に相当する。
【００８３】
ステップＳ１００４では、ＣＰＵ２１０の受信制御部２１０２は、連携放送局情報に基づいて、その連携放送局の放送の受信処理を実行し、ステップＳ１００１へ処理を戻す。
【００８４】
これは、図３においては、デジタル放送受信装置１００が、Ｔ２２、Ｔ２１を通過した後、エリアワンセグ放送局ＡＯＢ２，１をそれぞれ受信する状態に相当する。
【００８５】
ステップＳ１００１で選局に失敗したときや、ステップＳ１００３で連携放送局情報が無かった場合、ＣＰＵ２１０の受信制御部２１０２は、ステップＳ１００５において、チャンネルサーチやランダム選局などにより、新たに受信できるエリアワンセグ放送をサーチする。
【００８６】
以上のような処理を実行することにより、デジタル放送受信装置１００は、移動しながら複数のエリアワンセグ放送を順次受信する場合に、ユーザーに選局操作を行なわせることなく、自動で順次選局受信することが可能となる。
［第２実施例］
次に本発明の第２実施例を説明する。
【００８７】
第２実施例も第１実施例と同様に、放送局情報リストが予め放送局情報記憶部２１３１に記憶されている場合の例である。
【００８８】
この第２実施例では、放送局情報における現放送局情報に対応する連携放送局情報が１つ以上記載されることを許容する。そして、連携放送局情報が複数ある場合に、ＧＰＳ（位置検出部）２１５を用いてデジタル放送受信装置１００の移動経路を把握して、その把握した移動経路情報と各連携放送局情報とに基づいて、次に受信するエリアワンセグ放送局を選択する点に特徴がある。すなわち、この第２実施例では、ＣＰＵ２１０の移動経路認識部２１０３が、ＧＰＳ２１５で随時検出する現在位置の推移と、フラッシュメモリ２１３の地図データ記憶部２１３２に記憶された地図データから生成される地図とによって、デジタル放送受信装置１００の移動経路を認識する。そしてＣＰＵ２１０の受信制御部２１０２がその認識した移動経路上に存在するエリアワンセグ放送局のうち最も近い位置に存在するエリアワンセグ放送局を選択して、この選択したエリアワンセグ放送局の放送を受信するものである。
【００８９】
図７は、本発明の第２実施例の動作を説明するためのエリアワンセグ放送の第２の実施形態を示す図である。
【００９０】
同図においては、図３のエリアワンセグ放送の実施形態に対してエリアワンセグ放送局ＡＯＢ４が追加されている。
【００９１】
図８は、この第２実施例で用いる第２の放送局情報の構成を説明する図である。
【００９２】
同図においては、図４の放送局情報に対して、現放送局ＡＯＢ２に対応する連携放送局情報にエリアワンセグ放送局ＡＯＢ４の情報が追加されている。また、現放送局情報にエリアワンセグ放送局ＡＯＢ４の情報が追加されている。なお、このエリアワンセグ放送局ＡＯＢ４の現放送局情報に対応する連携放送局情報は無い。
【００９３】
以下、図７を用いて詳細に説明する。
【００９４】
図７における移動経路Ａは、図３の移動経路と同じ経路である。従って、デジタル放送受信装置１００は、エリアワンセグ放送局ＡＯＢ３，２，１の順にその放送局の放送を受信していく。なお、エリアワンセグ放送局ＡＯＢ３の現放送局情報を特定する場合、第１実施例では、名称情報を用いた。しかし、本第２実施例では、ＧＰＳ２１５によってデジタル放送受信装置１００の現在位置情報を取得可能である。従って、この現在位置情報と、放送局情報リスト中の各現放送局情報にそれぞれ記載されている位置情報および受信可能エリア情報とによって、どの放送局の受信可能エリアにデジタル放送受信装置１００が位置しているかどうかを判断することで、現在受信中の放送局の現放送局情報を特定することも可能である。
【００９５】
また、エリアワンセグ放送局ＡＯＢ２の放送が受信できなくなるＴ２１の地点においては、図８の放送局情報によれば、このエリアワンセグ放送局ＡＯＢ２の連携放送局情報としてエリアワンセグ放送局ＡＯＢ１とエリアワンセグ放送局ＡＯＢ４との２つの情報がある。従って、どちらの放送局を受信するかの選択判断が必要となる。第２実施例では、ＧＰＳ２１５によってデジタル放送受信装置１００の移動経路が把握できる。すなわち、移動経路Ａの場合は、Ｔ２１を直進通過することが把握できる。そして、放送局情報の位置情報によってエリアワンセグ放送局ＡＯＢ１、４の位置をそれぞれ把握できる。以上の情報によって、この場合は、デジタル放送受信装置１００は、エリアワンセグ放送局ＡＯＢ４よりもエリアワンセグ放送局ＡＯＢ１の方の近くを通過すると判断できるので、エリアワンセグ放送局ＡＯＢ１を選択し、この選択した放送局の放送を受信する。
【００９６】
このように、本第２実施例の場合は、第１実施例と異なり、連携放送局が複数ある場合も許容している。従って、複数の連携放送局のうちのどの放送局を選択するかという判断処理が重要となる。この判断処理の具体例を以下に説明する。
【００９７】
デジタル放送受信装置１００の移動経路上に、放送を受信可能なエリアワンセグ放送局が複数存在する場合、その複数のエリアワンセグ放送局のうち移動経路上で最も近い位置に存在する放送局を選択する。最も近い位置に存在することを判断する方法の例を以下に説明する。例えば、選択対象の各連携放送局からデジタル放送受信装置１００の移動経路に対して垂線を下ろす。そして、その垂線の距離と、垂線と移動経路の交点からデジタル放送受信装置１００の位置までの距離とを加算する。その加算した距離が一番短い連携放送局を最も近い位置に存在する放送局と判断する。
【００９８】
一方、図７における移動経路Ｂは、Ｔ７０の地点で右折する経路である。この場合も、ＧＰＳ２１５によってデジタル放送受信装置１００の移動経路が把握できる。すなわち、移動経路Ｂの場合は、Ｔ７０を右折通過することが把握できる。そして、放送局情報の位置情報によってエリアワンセグ放送局ＡＯＢ１、４の位置をそれぞれ把握できる。以上の情報によって、この場合は、エリアワンセグ放送局ＡＯＢ１よりもエリアワンセグ放送局ＡＯＢ４の方の近くを通過すると判断できるので、エリアワンセグ放送局ＡＯＢ４を選択し、この選択した放送局の放送を受信する。
【００９９】
以上のように、この第２実施例によれば、デジタル放送受信装置１００の移動経路をＧＰＳ２１５によって把握するとともに、放送局情報の位置情報によってエリアワンセグ放送局の位置を把握することで、現放送局情報に対応する連携放送局情報が複数ある場合に、これら複数の連携放送局情報に対応する複数のエリアワンセグ放送局のうち最も近くを通過する放送局を選択することが可能となる。
＜動作の流れ＞
上記第２実施例における要部の動作の流れを図７及び図９を用いて説明する。
【０１００】
図９は、第２実施例の動作の流れを説明するフローチャートである。
【０１０１】
本フローチャートにおいて、図６の第１実施例のフローチャートのステップと同じ処理内容のステップには同じステップ番号を付与した。
【０１０２】
図９のフローチャートも、最初のエリアワンセグ放送局の放送を受信した時点をスタートとする。
【０１０３】
これは、図７においては、デジタル放送受信装置１００が、Ｔ２３を通過した後、ユーザーの選局操作などによってエリアワンセグ放送局ＡＯＢ３を受信した状態に相当する。
【０１０４】
そして、まず、ステップＳ１００１では、ＣＰＵ２１０の受信不可検出部２１０１は、放送の受信が正常か否かを判断する。正常の場合（Ｓ１００１：Ｙｅｓ）は、ステップＳ２００１へ処理を移行する。
【０１０５】
一方、受信状態が悪く選局に失敗する等した場合（Ｓ１００１：Ｎｏ）は、ＣＰＵ２１０の受信制御部２１０２は、ステップＳ２００５へ処理を移行する。
【０１０６】
ステップＳ２００１では、ＣＰＵ２１０の受信制御部２１０２は、現在受信中のエリアワンセグ放送局に対応した連携放送局情報が１つ以上有るか否かを判断する。
【０１０７】
ＣＰＵ２１０の受信制御部２１０２が連携放送局情報有と判断した場合（Ｓ２００１：Ｙｅｓ）、ステップＳ２００２へ処理を移行する。
【０１０８】
これは、図７においては、デジタル放送受信装置１００が、エリアワンセグ放送局ＡＯＢ３、２を受信した状態に相当する。
【０１０９】
そして、更にステップＳ２００２では、ＣＰＵ２１０の受信制御部２１０２が、その１つ以上の連携放送局情報に記載されているエリアワンセグ放送局の中に、デジタル放送受信装置１００の移動経路上に存在し、これから受信可能となるものが有るか否かを判断する。
【０１１０】
このとき、図７おいてエリアワンセグ放送局ＡＯＢ２を受信した場合は、そのエリアワンセグ放送局ＡＯＢ２の連携放送局情報は２つ存在する、従って、ＣＰＵ２１０の受信制御部２１０２は、上述した方法によって移動経路Ａの場合はエリアワンセグ放送局ＡＯＢ１を選択し、移動経路Ｂの場合はエリアワンセグ放送局ＡＯＢ４を選択する。
【０１１１】
ステップＳ２００２において、ＣＰＵ２１０の受信制御部２１０２が、移動経路上に受信可能となるエリアワンセグ放送局有と判断した場合（Ｓ２００２：Ｙｅｓ）は、ステップＳ１００２へ処理を以降する。
【０１１２】
一方、ＣＰＵ２１０の受信制御部２１０２が、移動経路上に受信可能となるエリアワンセグ放送局無と判断した場合（Ｓ２００２：Ｎｏ）は、ステップＳ２００４へ処理を以降する。
【０１１３】
ステップＳ２００４では、ＣＰＵ２１０の受信制御部２１０２は、現在受信中の放送の受信を中止する。このステップであえて受信を中止する理由を以下に説明する。
【０１１４】
図３、図７に示すように道路沿い複数のエリアワンセグ放送局が並んでいる場合、各放送局が、それぞれの放送を受信するデジタル放送受信装置１００を備える車両（ユーザー）を、ある所定の場所へ誘導するような情報をリレー形式でユーザーに提供するコンテンツを放送するような運用形態が考えられる。ステップＳ２００４は、この運用形態を考慮した場合に必要となる処理である。すなわち、連携放送局はあるものの、デジタル放送受信装置１００の移動経路上には存在しないということは、現在受信中のエリアワンセグ放送局がユーザーを誘導したい所定の場所へデジタル放送受信装置１００（ユーザー）が向かっていないことを意味する。従って、これ以上、このエリアワンセグ放送局の放送を受信して、所定の場所へ誘導する情報をユーザーに提示しても無駄であるし、ユーザーに煩わしさを感じさせる懸念もあると判断し、受信を中止するのである。
【０１１５】
そして、ＣＰＵ２１０の受信制御部２１０２は、ステップＳ２００４で、現在受信中の放送の受信を中止したらステップＳ２００５へ処理を移行する。
【０１１６】
ステップＳ１００２では、ＣＰＵ２１０の受信不可検出部２１０１は、現在受信中のエリアワンセグ放送が継続受信できているか否かを判断する。継続受信できていると判断した場合（Ｓ１００２：Ｙｅｓ）は、受信制御部２１０２は処理をステップＳ２００２へ戻す。第１実施例においては、継続受信ができなくなるまでこのステップＳ１００２を繰り返し実行していたが、第２実施例ではＳ２００２へ処理を戻している。この理由を以下に説明する。
【０１１７】
第１実施例では、デジタル放送受信装置１００の移動経路の情報は使用しない。従って、デジタル放送受信装置１００は、継続受信ができなくなった後でないと、次の処理を実行できなかった。しかし、第１実施例では現放送局情報に対応付ける連携放送局情報は１つのみであるので、このような処理で問題はなかった。
【０１１８】
しかし、第２実施例では、現放送局情報に対応付ける連携放送局情報を複数記載することを許容している。そして、複数記載されている場合は、そのうちの１つの連携放送局情報に記載の放送局をデジタル放送受信装置１００の移動経路に基づいて選択する必要がある。移動経路は、随時変更される可能性がある。従って、実施例１のように、継続受信ができなくなるまでループで待つより、ステップＳ２００２に処理を戻して、デジタル放送受信装置１００の移動経路を随時把握することにより、移動経路の変更に伴って柔軟に連携放送局の選択も変更することが可能となる。また、変更された移動経路上に連携放送局が存在しなくなったことも判断できるので、上記した、ステップＳ２００４の受信中止処理がより有効となる。
【０１１９】
上記を図７の移動経路Ｃを例に具体的に説明する。移動経路Ｃは、デジタル放送受信装置１００が、上方から下方に移動してＴ７０の地点（交差点）で右折する経路である。このとき、デジタル放送受信装置１００は、エリアワンセグ放送局ＡＯＢ２の放送を受信している。エリアワンセグ放送局ＡＯＢ２の連携放送局情報には、エリアワンセグ放送ＡＯＢ４、１の２つの放送局の情報が記載されている。そして、デジタル放送受信装置１００が、上方から下方へ移動している時点では、ＣＰＵ２１０の受信制御部２１０２は、その移動経路上の存在するエリアワンセグ放送局ＡＯＢ４を選択している。ところが、デジタル放送受信装置１００はＴ７０の交差点で右折する。第１実施例のように、ステップＳ１００２でループする処理だと、このような場合、エリアワンセグ放送局ＡＯＢ４を選択し続けてしまう。しかし、本第２実施例のようにステップＳ２００２に処理を戻すことによって、デジタル放送受信装置１００の移動経路が変更になり、かつ、変更された移動経路上には連携放送局が無いと判断でき、ステップＳ２００４の受信中止処理へ速やかに移行できる。この時に「受信している放送と違う方向に曲がりましたので受信を中止します」等の音声メッセージを出してユーザーに知らせても良い。
【０１２０】
なお、上記のようにユーザーを所定の場所へ誘導することを目的としないコンテンツを放送するエリアワンセグ放送局の放送を受信している場合は、ステップＳ２００４が無くても良いことはもちろんである。
【０１２１】
ステップＳ１００２において、ＣＰＵ２１０の受信不可検出部２１０１が継続受信できなくなったと判断した場合（Ｓ１００２：Ｎｏ）、受信制御部２１０２は、ステップＳ１００４へ処理を移行する。
【０１２２】
ステップＳ１００４では、ＣＰＵ２１０の受信制御部２１０２は、ステップＳ２００２にて最終的に選択された連携放送局情報に基づいて、その連携放送局の放送の受信処理を実行し、ステップＳ１００１へ処理を戻す。
【０１２３】
ステップＳ１００１で選局に失敗したときや、ステップＳ２００４で現在受信中の放送の受信を中止した場合、ＣＰＵ２１０の受信制御部２１０２は、ステップ２００５において、現在の移動経路上において受信可能なエリアワンセグ放送を放送する放送局が無いかどうかをサーチする。
【０１２４】
以上のような処理を実行することにより、デジタル放送受信装置１００は、移動しながら複数のエリアワンセグ放送を順次受信する場合に、ユーザーに選局操作を行なわせることなく、移動経路上に存在するエリアワンセグ放送局を選択して、この選択した放送局の放送を自動で順次選局受信することが可能となる。
［第３実施例］
以上の説明は、デジタル放送受信装置１００が、図４に示すような放送局情報リストを予め外部から取得して放送局情報記憶部２１３１に記憶しておく場合の例である。
【０１２５】
しかし、デジタル放送受信装置１００が、放送局情報リストを予め記憶しておくようなことはせず、エリアワンセグ放送から放送局情報を随時取得する構成とすることも可能である。この場合は、デジタル放送受信装置１００とエリアワンセグ放送局（デジタル放送送信装置）とが連携したデジタル放送受信システムとなる。
【０１２６】
以下、第３実施例として、このデジタル放送受信システムを説明する。
【０１２７】
図１０は、この第３実施例に係るデジタル放送受信システムにおけるデジタル放送送信装置３００の構成を説明するためのブロック図である。
【０１２８】
連携放送局情報記憶部４０１には、上記第１、第２実施例で説明した、次に受信可能となるデジタル放送を放送する放送局の連携放送局情報が記憶されている。
【０１２９】
付加データ生成部４０２は、上述したＳＩ／ＰＳＩやデータ放送コンテンツの表示に用いるデータカルーセルなどの付加データを生成する。このとき、連携放送局情報記憶部４０１に記憶されている連携放送局情報を付加データに含める。
【０１３０】
この場合、エリアワンセグ放送局からデジタル放送受信装置１００への放送局情報の送信方法として、例えばＰＳＩのうちのＮＩＴ（Network Information Table）と、このＮＩＴに記述されるシステム管理記述子（System management descriptor）とを利用する構成が考えられる。
【０１３１】
エンコーダ４０３は、入力される映像／音声信号をそれぞれ圧縮されたデジタルビデオデータ、オーディオデータにエンコードする。
【０１３２】
マルチプレクサ４０４は、エンコードされたデジタルビデオデータ、オーディオデータ、及び生成された付加データを多重化（マルチプレクス）してデジタルストリームを生成する。
【０１３３】
変調／送信部４０５は、生成されたデジタルストリームを変調してデジタル放送として、送信アンテナ４０６を介して無線送信する。なおこのときの送信電力は、  なお、デジタル放送送信装置３００の内部構成は、正確には、デジタル放送受信装置１００で説明したのと同様にＣＰＵ、ＲＡＭ、ＲＯＭ、フラッシュメモリ、バス等も構成要素として含まれる。しかし、これらのブロックは本発明の要部ではないので省略する。
【０１３４】
以下、付加データ生成部４０２において、ＮＩＴ及びシステム管理記述子を用いて連携放送局情報を付加データに含める具体的な方法について説明する。
【０１３５】
ＮＩＴは、このＮＩＴを含んで放送している放送局の情報を通知するためのテーブルである。図１１は、このＮＩＴの構造を示した図である。これは既知のテーブルであるの詳細な構造の説明は省略する。
【０１３６】
このＮＩＴの第１または第２のdescriptorフィールドに、図１２に示すシステム管理記述子が記述される。
【０１３７】
このシステム管理記述子は、放送種別等の情報を通知するための記述子である。そして、この記述子の付加識別子情報(additional identification info)フィールドは、各放送事業体が独自に使用できるフィールドである。このフィールドを利用する。
【０１３８】
例えば、エリアワンセグ放送局ＡＯＢ３の場合、この放送局が送出するＮＩＴ中のシステム管理記述子中の付加識別子情報フィールドに、図４の放送局情報の連携放送局情報に相当する情報、すなわちエリアワンセグ放送局ＡＯＢ２の位置、周波数、名称、範囲を示す情報を記述しておく。
【０１３９】
これにより、デジタル放送受信装置１００は、エリアワンセグ放送局ＡＯＢ３の放送を受信した際にＮＩＴを解析することによって、次に受信可能なエリアワンセグ放送局の放送局情報（連携放送局情報）を取得することができる。
【０１４０】
図１３は、上述した連携放送局情報をシステム管理記述子中の付加識別子情報フィールドに記述する具体例を説明する図である。
【０１４１】
図１３(a)は、図４に示した放送局情報の連携放送局情報のパラメータと同一のパラメータを記述する例である。
【０１４２】
oneseg link flagフィールドには、これ以下の情報が、次に受信可能な放送局の情報、すなわち放送局情報のうちの連携放送局情報であることを示す識別番号を１バイトで記述する。識別番号は、放送事業者が固有に割り当てて良い。
【０１４３】
frequencyフィールドには、連携放送局情報のうちの周波数を示す情報を２バイトで記述する。例えば、１／７ＭＨｚを単位とした数値で記述する。なお、放送波は、所定の帯域（６ＭＨｚ）を有するが、ここに記述する周波数の情報は、その帯域の中心周波数とする。
【０１４４】
なお、物理チャンネル番号（１３チャンネル〜５２チャンネル）と中心周波数は一対一の対応にあり、中心周波数＝（物理チャンネル番号−１３）×６＋４７３ＭＨｚとなるように定められている。
【０１４５】
latフィールド及びlngフィールドは、連携放送局情報のうちの位置を示す情報を記述するために使用する。本説明では位置を示す情報として緯度経度の情報を用いる例を示す。従って、latフィールドには緯度を示す情報、lndフィールドには経度を示す情報をそれぞれ記述する。
【０１４６】
latフィールドには、例えば、北緯の場合を正数、南緯の場合を負数とした固定小数点の４バイトの数値を記述する。４バイトのうち上位９ビットを符号付き整数部分、下位２３ビットを小数点部分として記述する。
【０１４７】
lndフィールドには、例えば、東経の場合を正数、西経の場合を負数とした固定小数点の４バイトの数値を記述する。４バイトのうち上位９ビットを符号付き整数部分、下位２３ビットを小数点部分として記述する。
【０１４８】
name lengthフィールド及びnameフィールドは、連携放送局情報のうちの放送局名を示す情報を記述するために使用する。
【０１４９】
name lengthフィールドには、この後に続くnameフィールドのバイト長を１バイトで記述する。
【０１５０】
nameフィールドには、放送局の名前を示す文字列をキャラクタで記述する。文字列長はname lengthフィールドで指定されるバイト長に対応する。従って、放送局の名前は可変長の文字列で表すことが可能である。
【０１５１】
radiusフィールドには、連携放送局情報のうちの受信可能エリアを示す情報を１バイトで記述する。例えば、受信可能エリアを真円と仮定した場合の半径を１ｍを単位とした数値で記述する。
【０１５２】
以上の付加識別子情報フィールドは、次に受信可能なエリアワンセグ放送局が複数ある場合はその数分だけ繰り返し記述される。
【０１５３】
図１３（ｂ）は、上記図１３（ａ）における受信可能エリアの情報を拡張した例である。図１３（ａ）の例では、受信可能エリアを真円と仮定した。しかしながら、上述したように、受信可能エリアは、周囲の地形や建物が影響して真円にならない場合がある。従って、実際にはより複雑な受信可能エリアを示すことが必要になる。
【０１５４】
oneseg link flagフィールドからnameフィールドまでは図１３（ａ）と同様であるので説明は省略する。
【０１５５】
radius or regionフィールド以下が異なる。
【０１５６】
radius or regionフィールドには、これ以下に続いて記述される連携放送局情報のうちの受信可能エリアを示す情報が、図１３（ａ）と同様に半径を示す数値で記述されているのか、または、より複雑な受信可能エリアを示す数値で記述されているのかを区別させるための情報を１バイトで記述する。
【０１５７】
例えば、この情報が０ｘ０１の場合には、以下に続く受信可能エリアを示す情報が半径を示す数値で記述されていること、すなわちradiusフィールドであることを示す一方、０ｘ０１以外の場合には、より複雑な受信可能エリアを示す数値で記述されていることを示すようにすれば良い。
【０１５８】
radiusフィールドは、図１３（ａ）と同様であるので説明は省略する。
【０１５９】
region lengthフィールド、及びこれに続くregion latフィールドとregion lngフィールドは、より複雑な受信可能エリアを示す情報を記述するために使用する。
【０１６０】
region lengthフィールドには、この後に続く３つ以上のregion latフィールドとregion lngフィールドとの組全体のバイト長を１バイトで記述する。
【０１６１】
region latフィールドとregion lngフィールドとには、それぞれ緯度を示す情報、経度を示す情報を記述する。そしてこの緯度経度の情報によって受信可能エリアの１地点の座標を示す。従って、この座標を３つ以上記述し、各座標を結ぶことによって、多角形の任意のエリアを指定することが可能となる。
【０１６２】
region latフィールドとregion lngフィールドとに記述する緯度経度を示す情報は、上述したlatフィールドとlngフィールドとに記述する数値の書式と同様の書式で良い。
【０１６３】
図１４は、上記region latフィールドとregion lngフィールドとに記述される緯度経度の情報を用いて、より複雑な受信可能エリアを表現した具体例である。同図中の各●の近傍にそれぞれその座標を（緯度、経度）として記載している。同図において、(retion lat1,region lng1)から(retion lat10,region lng10)までの１０点の座標で囲まれた閉領域を受信可能エリアと定義する。
【０１６４】
なお、上述した、より複雑な受信可能エリアを示す情報は、図４や図８の放送局情報の範囲情報に半径情報に替えて記述しても良いことはもちろんである。
＜動作の流れ＞
以上説明した第３実施例の動作の流れは、基本的には第１実施例や第２実施例と同じである。
【０１６５】
エリアワンセグ放送局の放送を受信した際に参照する連携放送局情報を、放送局情報記憶部２１３１から取得するのか（第１、第２実施例）、放送波から取得するのか（第３実施例）のが異なるのみであるので詳細説明は省略する。
【０１６６】
なお、上記説明では、連携放送局情報をＮＩＴのシステム管理記述子の付加識別子情報フィールドに記述する例を示したが、これに限らず、他のテーブル、他の記述子、他のフィールドに記述しても良いし、独自のテーブル、独自の記述子、独自のフィールドを規定して運用してももちろん良い。
[参考例］
次に、上記題１〜第３実施例において、ユーザーを所定の場所へ誘導するための方法を参考例として説明する。
【０１６７】
例えば、図７においてエリアワンセグ放送局ＡＯＢ４〜１がユーザーを誘導したい所定の場所がガソリンスタンドであり、そのガソリンスタンドはエリアワンセグ放送局ＡＯＢ１に併設されているとする。
【０１６８】
このとき、例えば、エリアワンセグ放送局ＡＯＢ３で放送するコンテンツに、
「このまま４００ｍ進めば左側にガソリンスタンドがあります」
という内容の映像を表示部に表示させる映像情報または、この内容を音声としてスピーカーから出力させる音声情報を含ませる。
【０１６９】
なお、映像情報とは動画情報でもグラフィクスの情報でも良い。また、この映像情報はカーナビゲーションが併設されている場合は、このカーナビゲーションの地図画面に重畳させて表示しても良い。
同様に、エリアワンセグ放送局ＡＯＢ２では、
「このまま２００ｍ進めば左側にガソリンスタンドがあります」
エリアワンセグ放送ＡＯＢ１では、
「まもなく左側にガソリンスタンドがあります」
という内容の映像情報または音声情報を含ませる。
【０１７０】
また、例えば図７において、エリアワンセグ放送局ＡＯＢ１が存在せず、エリアワンセグ放送ＡＯＢ４の位置がガソリンスタンドであったとする。
【０１７１】
この場合は、各放送局の連携関係はエリアワンセグ放送ＡＯＢ３、２、４の順番となる。この場合においては、走行経路Ｂのように地点Ｔ７０において右折しないと、最終的に誘導したいガソリンスタンド（エリアワンセグ放送局ＡＯＢ４）に到着できない。
【０１７２】
そこで、この場合は、
エリアワンセグ放送局ＡＯＢ３では、
「あと３００ｍで右折するとガソリンスタンドがあります。」
エリアワンセグ放送局ＡＯＢ２では
「まもなく右折するとガソリンスタンドがあります。」
エリアワンセグ放送局ＡＯＢ４では、
「まもなく左側にガソリンスタンドがあります」
という内容の映像情報または音声情報を各放送局が放送するコンテンツに含ませる。
【０１７３】
以上のような情報提示により、ユーザーをより円滑に目的地へ案内することが可能となる。
【０１７４】
また、例えば図７の移動経路Ｃの場合は、実施例２で記載したように、図９のステップＳ２００２において、連携放送局が移動方向に存在しないと判断し、エリアワンセグ放送局ＡＯＢ２の放送を中止する。従って、ユーザーに冗長な情報を提示することなく、必要な情報のみを提示することが可能となる。
【０１７５】
なお、図４や図７の実施形態では、全て半径１００ｍを受信可能エリアとする放送局が並ぶ例を示したが、受信可能エリアが異なる（すなわち送出電力が異なる）放送局が並んでいてももちろん良い。例えば、半径数ｍというごく狭い範囲だけを受信可能エリアとする放送局があっても良い。
【０１７６】
たとえば、ガソリンスタンドまで誘導するための放送局は半径１００ｍを受信可能エリアとする一方、誘導先のガソリンスタンド内においては、半径数ｍの受信可能エリアの放送局を、ガソリンスタンド内部の給油装置（または給油レーン）毎に備えるといった運用が考えられる。この場合、給油装置（または給油レーン）に備わった放送局が放送するコンテンツとしては、その給油装置（または給油レーン）で扱う油種や価格などの情報を提供するコンテンツが考えられる。
【０１７７】
また、本説明では、受信可能エリアを半径１００ｍで説明したが、受信可能エリアがもっと広範囲（例えば数キロ程度）になっても本発明は有効である。この場合の放送局の送出電力は最大１Ｗ程度となる。
【符号の説明】
【０１７８】
１００：デジタル放送受信装置
２００：アンテナ
２０１：チューナ
２０２：デスクランブラ
２０３：マルチプレクサ
２０４：ビデオデコーダ
２０５：オーディオデコーダ
２０６：グラフィクス
２０７：デマルチプレクサ用ＲＡＭ
２１０：ＣＰＵ
２１１：ＲＯＭ
２１２：ＲＡＭ
２１３：フラッシュメモリ
２１４：ＲＴＣ
２１５：ＧＰＳ
２１６：ユーザインターフェース
２１０１：受信不可検出部
２１０２：受信制御部
２１３１：放送局情報記憶部
２１３２：地図データ記憶部
３００：デジタル放送送信装置
４０１：連携放送局情報記憶部
４０２：付加データ生成部
４０３：エンコーダ
４０４：マルチプレクサ
４０５：変調／送信部
４０６：送信アンテナ
【図１】
0005392205.tif 000002
【図２】
0005392205.tif 000003
【図３】
0005392205.tif 000004
【図４】
0005392205.tif 000005
【図５】
0005392205.tif 000006
【図６】
0005392205.tif 000007
【図７】
0005392205.tif 000008
【図８】
0005392205.tif 000009
【図９】
0005392205.tif 000010
【図１０】
0005392205.tif 000011
【図１１】
0005392205.tif 000012
【図１２】
0005392205.tif 000013
【図１３】
0005392205.tif 000014
【図１４】
0005392205.tif 000015